(57)【要約】【課題】  プリンタ装置や複写機等の各種電子機器の機能拡張を図るために、電子機器本体の下方に順次連結される増設ユニットに関して、機器の運搬時に、電子機器本体と増設ユニットが同時に運搬されて電子機器本体の落下の危険や、装置全体が結合した時の重量や大きさによる運搬しにくさを回避するため、両方の装置を同時に運搬できないようにする。【解決手段】  本発明においては、設置面に載置される載置部と指を掛ける指掛け部とを有する下部筐体と、前記下部筐体上に載置される上部筐体とにおいて、前記下部筐体の指掛け部は前記下部筐体の全ての外周から突出しないように設けられ、前記上部筐体が載置していないときのみ前記指掛け部に指を掛けることができることを特徴としたり、前記下部筐体の指掛け部は、前記上部筐体が載置していないときのみ、特定の外周面から外側に突出して前記指掛け部に指を掛けることができることを特徴とするものである。【選択図】  図１
2007106034.tif 000002
【特許請求の範囲】
【請求項１】
設置面に載置される載置部と指を掛ける指掛け部とを有する下部筐体と、
前記下部筐体上に載置される上部筐体とにおいて、
前記下部筐体の指掛け部は前記下部筐体の全ての外周から突出しないように設けられ、前記上部筐体が載置していないときのみ前記指掛け部に指を掛けることができることを特徴とする重合持ち上げできない増設ユニットをもつ装置。
【請求項２】
設置面に載置される載置部と指を掛ける指掛け部とを有する下部筐体と、
前記下部筐体上に載置される上部筐体とにおいて、
前記下部筐体の指掛け部は、前記上部筐体が載置していないときのみ、特定の外周面から外側に突出して前記指掛け部に指を掛けることができることを特徴とする重合持ち上げできない増設ユニットをもつ装置。
【請求項３】
第２項において、前記特定の外周面とは、装置載置面と対向する面であることを特徴とする重合持ち上げできない増設ユニットをもつ装置。
【請求項４】
第１項、第２項、及び第３項において
前記下部筐体には下部筐体から着脱可能な副筐体を有し、前記指掛け部によって前記下部筐体が運搬可能な場合のみ前記下部筐体と前記副筐体とを係合して前記下部筐体と前記副筐体とが分離することを防ぐ係合手段を持つことを特徴とする重合持ち上げできない増設ユニットをもつ装置。
【請求項５】
第４項において
前記係合手段による係合可能な機会は、前記下部筐体から前記副筐体が離脱していく所定区間内に少なくとも一回以上あることを特徴とする重合持ち上げできない増設ユニットをもつ装置。
【請求項６】
第４項、第５項において
係合している前記下部筐体と前記副筐体は、前記係合手段の一部を成す特定部分を操作することで係合の解除が可能であることを特徴とする重合持ち上げできない増設ユニットをもつ装置。
【請求項７】
第４項、第５項、第６項において
前記上部筐体を前記下部筐体上に載置することで、前記下部筐体と前記副筐体との係合は自動的に解除されることを特徴とする重合持ち上げできない増設ユニットをもつ装置。
【発明の詳細な説明】
【技術分野】
【０００１】
本発明は、本発明は、プリンタ装置や複写機等の各種電子機器の機能拡張を図るために、電子機器本体の下方に順次連結される増設ユニットに関する。
【背景技術】
【０００２】
従来、設置面に載置される載置部と指を掛ける指掛け部とを有する下部筐体に上部筐体を重ねた筐体ユニットがある。この筐体ユニットを本体とする電子機器がある。電子機器は、その機能を拡張するため、上部筐体に相当する電子機器本体の下方向に下部筐体に相当するオプションを順次連結したものが知られている。
【０００３】
そのような電子機器には、画像形成装置や画像読取装置等がある。電子機器の一例である画像形成装置は、シートに画像を形成するようになっている。画像形成装置には、プリンタ、複写機、ファクシミリ、及びこれらの複合機等がある。図１８、図１９は、画像形成装置の一例であるプリンタを示す。
【０００４】
図１８は、下部筐体に相当するオプション１１２に上部筐体に相当するプリンタ本体１１１を搭載したプリンタ１１０の外観斜視図である。また、図１９は、図１８の断面図である。図１９は、プリンタ１１０において、シートに画像を形成する画像形成部を省略して、シートを画像形成部に供給する給送部を示した図である。
【０００５】
プリンタ本体１１１の主な機能は、記録媒体Ｐ（紙やＯＨＰシート等）に指定した画像を形成することである。プリンタ本体１１１には、記録媒体Ｐを積載されるカセット１１１ｃを備えている。プリンタ本体１１１は、給送部１１６としてのピックアップローラ1１４、及び分離部１１５によって、あらかじめ積載された記録媒体Ｐを１枚ずつ給送して、プリンタ本体１１１内の不図示の画像形成部によって指定画像を形成するようになっている。
【０００６】
オプション１１２は、給送部１１６と同様な構成になっている。プリンタ本体１１１の給送部１１６と同様な給送部１１６で、プリンタ本体１１１内の不図示の画像形成部に記録媒体Ｐを送り込むことができるようになっている。すなわち、オプション１１２は、プリンタ本体１１１の給送部１１６の機能を拡張するようになっており、連結したオプションの分だけ大容量、または多種類の記録媒体Ｐをプリンタ本体１１１に供給することができるようになっている。
【０００７】
このように、プリンタ１１０は、プリンタ本体１１１のカセット１１１ｃと、オプション１１２のカセット１１２ｃとのいずれか一方を選択すると、選択したカセットの記録媒体を給送することができるようになっている。オプション１１２もカセット１１２ｃと備えている。
【０００８】
次に、以上のようなプリンタ１１０の設置、運搬について説明する。
【０００９】
図１８に示すように、プリンタ１１０のオプション１１２とプリンタ本体１１１とを重ねて設置面Ｇに設置するとき、操作者は、まず、オプション１１２の外装側面に設けた取っ手１１２ａと反対側の外装側面に設けた不図示の取っ手とに指を掛けて、オプション１１２を持ち上げて、所定の位置に置く。このとき、設置面Ｇと取っ手１１２ａとの間には充分な隙間が生じているので、オプション１１２と設置面Ｇとの間に指を挟むことはない。
【００１０】
次に、プリンタ本体１１１の取っ手１１１ａと反対側の外装側面に設けた不図示の取っ手とに指を掛けてプリンタ本体１１１を持ち上げて、オプション１１２の上に搭載する。このとき、オプション１１２の上面とプリンタ本体１１１の取っ手１１１ａとの間には充分なスペースを設けてあるので、オプション１１２とプリンタ本体１１１との間で指を挟むことはない。
【００１１】
また、すでに重ねて設置されたプリンタ本体１１１とオプション１１２とを運搬するには、操作者は、まず、プリンタ本体１１１の取っ手１１１ａと反対側の外装側面に設けた不図示の取っ手とに指を掛けて持ち上げて、一時的に別の場所へ退避させておく。次に、操作者は、オプション１１２の取っ手１１２ａと反対側の外装側面に設けた不図示の取っ手とに指を掛けて持ち上げて、オプション１１２を所定の位置に移動して設置する。その後、操作者は、オプション１１２にプリンタ本体１１１を搭載する。
【００１２】
以上説明したように、従来のプリンタ１１０は、オプション１１２の外装に取っ手を設けてあるので、操作者がオプションの取っ手１１２ｃに指を掛けて、プリンタ本体１１１とオプション１１２とを同時に運搬することができるようになっている。
【００１３】
こうしたプリンタ装置は本体そのものが一般的に重い上に、プリンタ本体とオプションが重なった状態では全高も高くなる。
【００１４】
したがってプリンタ本体とオプションを重ねた状態で人が運搬可能となってしまう状況は、重量による持ち運びにくさに加えて、視界の妨げにもなり安全な運搬環境を提供しているとは言いがたい。
【００１５】
そこで、特許文献１では、図２０にあるように、プリンタ装置は、設置面Ｇに載置される脚１０４と指を掛ける指掛け部である底部１０２ａとを有するオプション１０２と、オプション上に載置されるプリンタ本体１０１と、から成り、脚１０４はオプション１０２本体に対して脚ばね１０５で取り付けられていて、オプション１０２にプリンタ本体１０１が載置されているか否かによって脚ばね１０５が伸縮し、載置しているときにはオプション１０２からの脚１０４の突出量が、設置面Ｇと底部１０２ａとの隙間Ｈ１に指をいれることができないように、載置していないときには隙間Ｈ２に指が入るように、変化するようになっていて、意識せずともプリンタ本体１０１とオプション１０２が同時に運搬されないような構成を提供している。
【００１６】
また本特許文献１の別の例では、オプション１０２に指掛け部が設けられているものの、プリンタ本体１０１が載置されている場合には指掛け部に遮蔽物が出現して指を掛けることができなくなるような構成も提案されている。
【特許文献１】特開２００４−８２６１５号公報
【発明の開示】
【発明が解決しようとする課題】
【００１７】
しかしながら、オプション自体の上下によるオプション底面と載置面との隙間による指掛け運搬方式では、万が一上下機構の破損・作動不良が起こったり、または、運搬しようとする瞬間に運搬者自身の体の一部が重量としてオプション上面にかかってしまうという場合などにはオプション底面が載置面まで意図せずに下がってきて指を挟んでしまう危険性がある。
【００１８】
また、オプション側面に別途指掛け部とその遮蔽機構を設け、これをプリンタ本体の載置の有無によって遮蔽物開閉を行う方式では、その機構的な信頼性や複雑さからくるコスト上昇などの懸念があると同時に、装置外部からのアクセスが容易なため、遮蔽機構が作動しなかった場合には指掛け部をもつことができてしまいフェイルセーフにはなっていない。
【課題を解決するための手段】
【００１９】
上記課題を解決するために本発明においては、
設置面に載置される載置部と指を掛ける指掛け部とを有する下部筐体と、前記下部筐体上に載置される上部筐体とにおいて、
前記下部筐体の指掛け部は前記下部筐体の全ての外周から突出しないように設けられ、前記上部筐体が載置していないときのみ前記指掛け部に指を掛けることができることを特徴としたり、前記下部筐体の指掛け部は、前記上部筐体が載置していないときのみ、特定の外周面から外側に突出して前記指掛け部に指を掛けることができることを特徴とするものである。
【００２０】
また、前記下部筐体には下部筐体から着脱可能な副筐体を有し、前記指掛け部によって前記下部筐体が運搬可能な場合のみ前記下部筐体と前記副筐体とを係合して前記下部筐体と前記副筐体とが運搬時に分離することを防ぐ係合手段を持つことを特徴とするものでもある。
【発明の効果】
【００２１】
本発明においては、設置面に載置される載置部と指を掛ける指掛け部とを有する下部筐体と、前記下部筐体上に載置される上部筐体とにおいて、前記下部筐体の指掛け部は前記下部筐体の全ての外周から突出しないように設けられ、前記上部筐体が載置していないときのみ前記指掛け部に指を掛けることができることを特徴としたり、前記下部筐体の指掛け部は、前記上部筐体が載置していないときのみ、特定の外周面から外側に突出して前記指掛け部に指を掛けることができるようになっているので、下部筐体に載置された上部筐体を運搬するとき、操作者が必然的に上部筐体と下部筐体とを別々に運搬することになるため、同時に運搬することで起こりうる上部筐体の落下の可能性や大きさ・重さによる運搬のしにくさを未然に防止することができる。
【００２２】
また、下部筐体には下部筐体から着脱可能な副筐体を有し、前記指掛け部によって前記下部部筐体が運搬可能な場合のみ前記下部筐体と前記副筐体とを係合して前記下部筐体と前記副筐体とが運搬時に分離することを防ぐ係合手段を持っているので、下部筐体を単体で運搬、設置するときにも容易、かつ安全に行うことができるという効果がある。
【発明を実施するための最良の形態】
【００２３】
本発明の実施形態の筐体ユニットを筐体とする電子機器である例えば画像形成装置の一例であるプリンタを図に基づいて説明する。
【００２４】
電子機器には、画像形成装置の他に、例えば、画像読取装置がある。したがって、電子機器は、画像形成装置に限定されるものではない。
【００２５】
画像形成装置は、シートに画像を形成するようになっている。画像形成装置には、プリンタ、複写機、ファクシミリ、及びこれらの複合機等がある。本発明の実施形態の画像形成装置は、プリンタを例にして説明するが、プリンタに限定されるものではない。
【００２６】
シートには、普通紙、この普通紙の代用品である樹脂製の薄いもの、厚紙、はがき、封書、オーバヘッドプロジェクタ用の用紙等がある。
【００２７】
なお、第１乃至第３実施形態のプリンタにおける、筐体ユニットの上部筐体である例えばプリンタ本体と下部筐体である例えばオプションの内部構造は、ほとんど同じである。したがって、第１実施形態のプリンタの内部説明のみ行い、第２及び第３実施形態のプリンタの内部説明は省略し、異なる部分を主体に説明する。また、各実施形態のプリンタは、プリンタ本体の下部にオプションを１つ備えているが、複数段備えていてもよい。
【００２８】
また、第１乃至第３実施形態のプリンタにおける、オプションの高さを高くして、そのオプション内に、プリンタ本体内の画像形成に関する各機構を設けて、プリンタ本体を原稿自動供給装置に置き換えて、原稿を読み取って原稿の情報を複写するようにしても良い。したがって、プリンタ本体内には、画像形成に関する各機構を設けることに限定されるものではない。
【実施例１】
【００２９】
第１実施形態のプリンタを図１〜図５、図６に基づいて説明する。
【００３０】
図６は、プリンタのシート搬送方向に沿った断面図である。プリンタ１０は、上部筐体である例えばプリンタ本体１と、プリンタ本体１の下方に順次連結される下部筐体である例えばオプション２とで構成されている。外部からの画像情報を受けたレーザビームスキャナ１５５は、その画像情報を感光体ドラム１５６上に静電潜像として形成する。感光体ドラム１５６の表面は、静電潜像が形成される前、あらかじめ一次帯電器１５７によって、一様に帯電してある。感光体ドラム１５６の静電潜像は、現像器１５８によって、現像剤であるトナーによって現像される。なお、感光体ドラム１５６、一次帯電器１５７、現像器１５８等は、画像形成部１５９を構成している。画像形成部１５９は、画像形成手段の一例である。一方、シート供給ローラ１６１は、シート供給カセット１６２内の中板１６３に積載してあるシートＰをシート供給カセット１６２から搬送ローラ対１６８に送り出す。このとき、搬送ローラ対１６８は、分離板１６４と協働して、シートを１枚ずつ送り出す。搬送ローラ対１６８は、シートＰをレジストローラ対１６９に送り込む。レジストローラ対１６９は、回転を停止している状態でシートＰの先端を受け止めて、シートＰに撓みを形成させ、シートＰの斜行を真っ直ぐに修正して、シートＰの斜行取りを行う。その後、レジストローラ対１６９は、感光体ドラム１５６上のトナー像に合わせて、シートＰを感光体ドラム１５６と転写器１７０との間に送り込む。転写器１７０は、感光体ドラム１５６のトナー像をシートＰに転写する。搬送ベルト１７１は、トナー像を転写されたシートＰを搬送して、定着器１７２に送り込む。定着器１７２は、シートＰを過熱加圧して、シートにトナー像を定着して、そのシートを排出トレイ１７３に排出する。一方、感光体ドラム１５６に残ったトナーは、クリーナ１７４によって除去される。
【００３１】
シートの両面に画像を形成する場合、シートは、反転搬送路１６５に送り込まれてスイッチバック搬送されている最中に表裏反転されて、画像形成部１５９に再度送り込まれて反対側の面にも画像が形成され、排出トレイ１７３に排出される。オプション２は、プリンタ本体１の機能を拡張するためにプリンタ本体の下に重ねられるようになっている。オプション２は、プリンタ本体１に補助シートを補給するようになっている。オプション２内には、プリンタ本体１と同様な、中板１８３を備えた補助シート積載手段である例えばシート供給カセット１８２、シート供給ローラ１８１、分離板１８４、シート補助補給路１６７等を備えている。オプション２から供給された補助シートは、プリンタ本体１内に設けたシート補助補給路１６６に案内されて、搬送ローラ対１６８によって搬送されるようになっている。シート補助補給路１６７は、このオプション２の下にさらにオプションを重ねたとき、そのオプションから供給されるシートをプリンタ本体に案内するようになっている。プリンタ本体１の上部には、現像器１５８のトナー補給時や、プリンタ本体内のメンテナンス時にプリンタ本体を開閉するための開閉蓋１７５を設けてある。
【００３２】
図１は、オプション２にプリンタ本体１を載置した状態のプリンタ１０の正面図、図２・図３は、図１と同じ方向から見た要部の断面で示した図である。オプション２の上部には、プリンタ本体１を前後左右方向に位置決めするボス３ａ，３ｂを突設してある。プリンタ本体１は、ボス３ａ，３ｂによって、オプション２の所定位置に搭載されるようになっている。プリンタ本体１には、プリンタ本体１を運搬するために外装部に取っ手４ａ，４ｂを設けており、オプション２にはその外装外周ラインの内側に取っ手５ａ、５ｂを設けている。本実施例では、オプション２にプリンタ本体１を搭載するか否かで、オプション２に設けてある取っ手５ａ、５ｂを操作者がつかむことができる、できない、が必然的に選択されることを特徴としている。以下、オプション２の設置に関する構成を中心に説明する。
【００３３】
（オプション単体の運搬、設置）
以下、図４に基づいて説明する。図４は、オプション２の概略斜視図である。
【００３４】
オプション２にプリンタ本体１を載置していないとき、操作者は、オプション２の取っ手５ａ、５ｂに対して自由にアクセス可能となっており、そのまま問題なくオプション２単体だけを運搬し、そして設置することができる。
【００３５】
（プリンタ本体の運搬、設置）
以下、図５に基づいて、プリンタ本体の運搬、設置について、説明する。図５はプリンタ本体１をオプション２の上に載置した状態での概略斜視図である。
【００３６】
オプション２にプリンタ本体１を搭載したとき、オプション２の取っ手５ａ、５ｂはプリンタ本体１によって完全に隠されていて、操作者は外部から一切アクセスできない。
【００３７】
したがって、本実施形態のプリンタは、オプション２にプリンタ本体１が搭載された状態で操作者がオプション２を持ち上げて運搬することがない。操作者は、必然的に、まず、プリンタ本体１に設けた取っ手４ａ，４ｂに指を掛けてプリンタ本体１だけを運搬し、次に、オプション２単体を運搬することになる。
【００３８】
このように、操作者にとってプリンタ本体１とオプション２とを別々に運搬することは、同時に運搬する場合よりも運搬時の重量が軽いため、操作者にとって持ち運びやすくなる。また、プリンタ本体１の落下等の危険も回避できるため安全である。
【００３９】
特に、オプション２とプリンタ本体１の重量の合計が大きく、プリンタ本体１とオプション２を同時に運搬することが危険である場合に非常に有効である。
【００４０】
また、先述した［特許文献１］のような外装外側に運搬用取っ手があるものは、その機構の故障・作動不良等によって意図しない状況でも運搬可能にしてしまう可能性が０ではないが、本実施例のように、取っ手５ａ、５ｂが、オプション２の内部にあってプリンタ本体１によって物理的に隠されている形態のものはその心配がほぼ０とすることができ、フェールセーフ性も高いものとなる。
【００４１】
（外観）
オプション２の外装部には大きな凹凸部を必要とする取っ手を設けていないため、オプション２にプリンタ本体１を搭載すると、その外観には見苦しい大きな凹凸が一切見えない。そのためデザイン的な自由度が高く、すっきりとした外観を実現することにも有利である。
【実施例２】
【００４２】
第２実施形態のプリンタを図７〜図１０に基づいて説明する。
【００４３】
図７は、下部筐体であるオプション２２に上部筐体であるプリンタ本体２１を搭載したときのプリンタ２０の概略斜視図、図８は図７を矢印Ａ方向からみた断面図、図９は、オプション２２単体の概略斜視図、図１０は図９を矢印Ｂ方向からみた断面図である。プリンタ本体２１の構成は第１実施形態のプリンタ本体１とほぼ同じであり、取っ手２３ａ，２３ｂが設けられている。２７ａ、２７ｂはシート供給カセットである。
【００４４】
本実施形態のオプション２２には、ポップアップハンドル２４ａ、２４ｂが備えられており、それぞれ回転軸２５（ポップアップハンドル２４ｂ側にも存在）を中心に矢印Ｃの方向に付勢されている。
【００４５】
（オプション単体の運搬、設置）
オプション２２にプリンタ本体２１を載置していないとき、ポップアップハンドル２４ａ、２４ｂは、図に示すようにその付勢力によって持ち上がり、ポップアップリミッター２６（ポップアップハンドル２４ｂ側にも存在）に突き当たる。この状態で操作者は、オプション２２のポップアップハンドル２４ａ、２４ｂに対して自由にアクセス可能となっており、そのまま問題なくオプション２２単体だけを運搬し、そして設置することができる。
【００４６】
（プリンタ本体の運搬、設置）
オプション２２にプリンタ本体２１を搭載したとき、オプション２２のポップアップハンドル２４ａ、２４ｂはプリンタ本体２１の底部によって回転軸２５を中心に矢印Ｃの反対方向に押し戻され、オプション２２に完全に収納されて、操作者は外部から一切アクセスできなくなる。
【００４７】
したがって、本実施形態のプリンタは、第一実施例と同様に、オプション２２にプリンタ本体２１が搭載された状態で操作者がオプション２２を持ち上げて運搬することがない。その他の効果は第一実施例と同様である。
【実施例３】
【００４８】
第３実施形態のプリンタを図１１〜図１７に基づいて説明する。
【００４９】
図１１は、下部筐体であるオプション３２に上部筐体であるプリンタ本体３１を搭載したときのプリンタ３０の概略斜視図、図１２は、シート供給カセット３７ｂとポップアップロックハンドル３４ａ、及びこれらに設けられた主要部分を図１１と同じ方向から見た概略斜視図、図１３は図１１を矢印Ｅ方向からみた断面図、図１４は、図１２を矢印Ｄ方向から見た図、図１５は、プリンタ本体３１が載置されていないときのオプション３２単体の概略斜視図、図１６は、シート供給カセット３７ｂとポップアップロックハンドル３４ａ、及びこれらに設けられた主要部分を図１５と同じ方向から見た概略斜視図、図１７は、図１６を矢印Ｄ方向から見た図である。
【００５０】
プリンタ本体３１の構成は第１実施形態のプリンタ本体１とほぼ同じであり、取っ手３３ａ，３３ｂが設けられている。
【００５１】
本実施形態のオプション３２には、ポップアップロックハンドル３４ａ、３４ｂが備えられており、それぞれ回転軸３５（ポップアップロックハンドル３４ｂ側にも存在）を中心に矢印Ｆの方向に付勢されている。
【００５２】
（オプション単体の運搬、設置）
オプション３２にプリンタ本体３１を載置していないとき、ポップアップロックハンドル３４ａ、３４ｂは、図に示すようにその付勢力によって持ち上がり、ポップアップリミッター３６（ポップアップロックハンドル３４ｂ側にも存在）に突き当たる。この状態で操作者は、オプション３２のポップアップロックハンドル３４ａ、３４ｂに対して自由にアクセス可能となっており、そのまま問題なくオプション３２単体だけを運搬し、そして設置することができる。
【００５３】
このとき、ポップアップロックハンドル３４ａ、３４ｂに設けられているカセットロック３９（ポップアップロックハンドル３４ｂ側にも存在）が、シート供給カセット３７ｂに設けられている突出防止ロック３８ａ〜３８ｄ（ポップアップロックハンドル３４ｂ側にも存在）のいずれかと係合し、特に意識せずともオプション３２の運搬時にはシート供給カセット３７ｂが不用意にオプション３２から飛び出して落下しないようになっている。突出防止ロック３８は図示の通り複数設けられており（本実施例では片側４個）、シート供給カセット３７ｂがオプション３２に完全に収納されていない状態でオプション３２が運搬され、その途中で傾けられたとしても、シート供給カセット３７ｂがオプション３２から落下する前にいずれかの突出防止ロック３８がカセットロック３９と係合してシート供給カセット３７ｂの脱落・落下を防止するようになっている。
【００５４】
シート供給カセット３７ｂを外したい場合、または外したシート供給カセット３７ｂを再挿入したい場合には、意識的にポップアップロックハンドル３４ａ、３４ｂを押し込む（ポップアップロックハンドル３４ａ、３４ｂを、回転軸３５を中心に矢印Ｆの反対方向に回転させる）ことでロックが解除されてシート供給カセット３７ｂの着脱が実現できる。
【００５５】
このように本実施例では、操作者にとってオプション３２の運搬時におけるシート供給カセット３７ｂの脱落・落下という危険を無意識に防止し、シート供給カセット３７ｂを外したいという能動的な行為のみを意識的に行わせることで、運搬時の安全性を高めている。
【００５６】
本実施例ではポップアップロックハンドル３４ａ、３４ｂ及び突出防止ロック３８ａ〜３８ｄはオプション３２の両側２ヶ所に配設されることとしており、安全性を追求する場合には有利であるが、シート供給カセット３７ｂの重量が軽量で、むしろ着脱の簡便性を追求する場合には、２ヶ所の内、いずれか一方のみにロック係合の機構・要素を設けていても良い。
【００５７】
（プリンタ本体の運搬、設置）
オプション３２にプリンタ本体３１を搭載したときには、オプション３２のポップアップハンドル３４ａ、３４ｂはプリンタ本体３１の底部によって回転軸３５を中心に矢印Ｆの反対方向に押し戻され、オプション３２に完全に収納されて、操作者は外部から一切アクセスできなくなって、第一実施例、第二実施例と同様に、オプション３２にプリンタ本体３１が搭載された状態で操作者がオプション３２を持ち上げて運搬することがない。その他の効果は第一実施例・第二実施例と同様である。
【００５８】
このときポップアップロックハンドル３４ａ、３４ｂは、回転軸３５を中心に矢印Ｆの反対方向に回転するため、カセットロック３９と突出防止ロック３８との係合が解除され、シート供給カセット３７ｂの着脱が自動的に自由になる。
【００５９】
以上説明してきた実施例３のロック係合・解除の構成は実施例１の装置にも応用可能である。
【００６０】
例えば、オプション指掛け部は実施例１のように固定式として、ポップアップハンドル３４ａ、３４ｂの指掛け部を指掛けができない単純な形状とし、プリンタ本体の底部で押したり、指で押したりすることができるロック係合解除のみを行う単機能の役割を担わせる構成としてもよい。
【図面の簡単な説明】
【００６１】
【図１】実施例１の装置全体の正面図
【図２】実施例１の装置全体のある断面を図１と同じ方向から見た図
【図３】実施例１の装置全体のある断面を図１と同じ方向から見た図
【図４】実施例１のオプション２を示した概略斜視図
【図５】実施例１の装置全体の概略斜視図
【図６】実施例１の装置全体をシート搬送方向に沿って見た断面図
【図７】実施例２の装置全体の概略斜視図（プリンタ本体２１あり）
【図８】図７を矢印Ａ方向から見た断面図
【図９】実施例２のオプション２２を示した概略斜視図（プリンタ本体２１なし）
【図１０】図９を矢印Ｂ方向から見た断面図
【図１１】実施例３の装置全体の概略斜視図（プリンタ本体３１あり）
【図１２】実施例３の装置の特定部分の概略斜視図（プリンタ本体３１あり）
【図１３】図１１を矢印Ｅ方向から見た断面図
【図１４】図１２を矢印Ｄ方向から見た図
【図１５】実施例３のオプション３２を示した概略斜視図（プリンタ本体３１なし）
【図１６】実施例３の装置の特定部分の概略斜視図（プリンタ本体３１なし）
【図１７】図１６を矢印Ｄ方向から見た図
【図１８】従来例装置の概略斜視図
【図１９】従来例装置の部分断面図
【図２０】別の従来例装置の部分断面図
【符号の説明】
【００６２】
Ｇ  設置面
Ｈ１  隙間
Ｈ２  隙間
Ｐ  記録媒体
１  プリンタ本体
２  オプション
３ａ、３ｂ  ボス
４ａ、４ｂ  取っ手
５ａ、５ｂ  取っ手
１０  プリンタ
２０  プリンタ
２１  プリンタ本体
２２  オプション
２３ａ、２３ｂ  取っ手
２４ａ、２４ｂ  ポップアップハンドル
２５  回転軸
２６  ポップアップリミッター
２７ａ、２７ｂ  シート供給カセット
３０  プリンタ
３１  プリンタ本体
３２  オプション
３３ａ、３３ｂ  取っ手
３４ａ、３４ｂ  ポップアップロックハンドル
３５  回転軸
３６  ポップアップリミッター
３７ａ、３７ｂ  シート供給カセット
３８ａ、３８ｂ、３８ｃ、３８ｄ  突出防止ロック
３９  カセットロック
１０１  プリンタ本体
１０２  オプション
１０２ａ  底部
１０４  脚
１０５  脚ばね
１１０  プリンタ
１１１  プリンタ本体
１１１ａ  取っ手
１１１ｃ  カセット
１１２  オプション
１１２ａ  取っ手
１１２ｃ  カセット
１１４  ピックアップローラ
１１５  分離部
１１６  給送部
１５５  レーザービームスキャナ
１５６  感光体ドラム
１５７  一次帯電器
１５８  現像器
１５９  画像形成部
１６１  シート給紙ローラ
１６２  シート供給カセット
１６３  中板
１６４  分離版
１６５  反転搬送路
１６６  シート補助補給路
１６７  シート補助補給路
１６８  搬送ローラ対
１６９  レジストローラ対
１７０  転写器
１７１  搬送ベルト
１７２  定着器
１７３  排出トレイ
１７４  クリーナ
１７５  開閉蓋
１８１  シート供給ローラ
１８２  シート供給カセット
１８３  中板
１８４  分離版
【図１】
2007106034.tif 000003
【図２】
2007106034.tif 000004
【図３】
2007106034.tif 000005
【図４】
2007106034.tif 000006
【図５】
2007106034.tif 000007
【図６】
2007106034.tif 000008
【図７】
2007106034.tif 000009
【図８】
2007106034.tif 000010
【図９】
2007106034.tif 000011
【図１０】
2007106034.tif 000012
【図１１】
2007106034.tif 000013
【図１２】
2007106034.tif 000014
【図１３】
2007106034.tif 000015
【図１４】
2007106034.tif 000016
【図１５】
2007106034.tif 000017
【図１６】
2007106034.tif 000018
【図１７】
2007106034.tif 000019
【図１８】
2007106034.tif 000020
【図１９】
2007106034.tif 000021
【図２０】
2007106034.tif 000022